(57)【要約】【課題】  早送り再生時に早く音出しを開始する。【解決手段】  記録媒体から圧縮データをｎ（ｎ＞１）ブロック単位で読み出す第１の読出部３と、第１の読出部３により読み出されたｎブロック単位の圧縮データをメモリに書き込む書込部３と、書込部３によりメモリ４に書き込まれた圧縮データが所定量に達したときに、メモリ４から圧縮データを読み出す第２の読出部４０と、メモリ４から所定のデータ間隔で圧縮データを読み出すように第２の読出部４０を制御する制御部と、早送り再生を行う旨の早送り再生信号を生成し、当該早送り再生信号を制御部に供給する信号生成部とを備え、制御部は、信号生成部から上記早送り再生信号が供給されたときに、メモリ４から当該早送り再生信号に基づくデータ間隔で圧縮データを読み出すように第２の読出部４０を制御する。【選択図】  図１３
2005038532.tif 000002
【特許請求の範囲】
【請求項１】
圧縮データが書き込まれているメモリから圧縮データを読み出す読出手段と、
上記メモリから所定のデータ間隔で圧縮データを読み出すように上記読出手段を制御する制御手段と、
早送り再生を行う旨の早送り再生信号を生成し、当該早送り再生信号を上記制御手段に供給する信号生成手段とを備え、
上記制御手段は、上記信号生成手段から上記早送り再生信号が供給されたときに、上記メモリから当該早送り再生信号に基づくデータ間隔で圧縮データを読み出すように上記読出手段を制御することを特徴とするメモリ制御装置。
【請求項２】
上記読出手段は、上記メモリから読み出した圧縮オーディオデータを伸長することを特徴とする請求項１記載のメモリ制御装置。
【請求項３】
上記読出手段は、上記メモリにブロック単位で書き込まれている圧縮オーディオデータを読み出すことを特徴とする請求項１記載のメモリ制御装置。
【請求項４】
メモリに書き込まれている圧縮データを所定のデータ間隔で抜き出し、抜き出した圧縮データを当該メモリの所定の場所に転写する転写手段と、
上記メモリに書き込まれている圧縮データを読み出す読出手段と、
上記メモリから圧縮データを読み出すように上記読出手段を制御する制御手段と、
早送り再生を行う旨の早送り再生信号を生成し、当該早送り再生信号を上記制御手段に供給する信号生成手段とを備え、
上記制御手段は、上記信号生成手段から上記早送り再生信号が供給されたときに、上記メモリの所定の場所に転写されている圧縮データを読み出すように上記読出手段を制御することを特徴とするメモリ制御装置。
【請求項５】
上記メモリは、第１のメモリと第２のメモリからなっており、
上記転写手段は、圧縮オーディオデータが書き込まれている第１のメモリから圧縮オーディオデータを所定のデータ間隔で抜き出し、抜き出した圧縮オーディオデータを第２のメモリに転写し、
上記制御手段は、上記信号生成手段から上記早送り再生信号が供給されたときに、上記第２のメモリに転写された圧縮オーディオデータを読み出すように上記読出手段を制御することを特徴とする請求項４記載のメモリ制御装置。
【請求項６】
圧縮データをメモリに書き込み、当該メモリから圧縮データを読み出すメモリ制御方法において、
各種の再生動作を操作する操作部から早送り再生を行う旨の早送り再生信号が供給されたとき、上記メモリから当該早送り再生信号に基づくデータ間隔で圧縮データを読み出すことを特徴とするメモリ制御方法。
【請求項７】
圧縮データをメモリに書き込み、当該メモリから圧縮データを読み出すメモリ制御方法において、
メモリに書き込まれている圧縮データを所定のデータ間隔で抜き出し、抜き出した圧縮データを当該メモリの所定の場所に転写し、各種の再生動作を操作する操作部から早送り再生を行う旨の早送り再生信号が供給されたとき、上記メモリの所定の場所に転写されている圧縮データを読み出すことを特徴とするメモリ制御方法。
【請求項８】
圧縮データが所定のブロック単位で記録されている記録媒体から圧縮データを読み出し、再生する再生装置において、
上記記録媒体から上記圧縮データをｎ（ｎ＞１）ブロック単位で読み出す第１の読出手段と、
上記第１の読出手段により読み出されたｎブロック単位の圧縮データをメモリに書き込む書込手段と、
上記書込手段により上記メモリに書き込まれた圧縮データが所定量に達したときに、当該メモリから圧縮データを読み出す第２の読出手段と、
上記メモリから所定のデータ間隔で圧縮データを読み出すように上記第２の読出手段を制御する制御手段と、
早送り再生を行う旨の早送り再生信号を生成し、当該早送り再生信号を上記制御手段に供給する信号生成手段とを備え、
上記制御手段は、上記信号生成手段から上記早送り再生信号が供給されたときに、上記メモリから当該早送り再生信号に基づくデータ間隔で圧縮データを読み出すように上記第２の読出手段を制御することを特徴とする再生装置。
【請求項９】
上記第２の読出手段は、上記メモリから読み出した圧縮オーディオデータを伸長することを特徴とする請求項８記載の再生装置。
【請求項１０】
圧縮データが所定のブロック単位で記録されている記録媒体から圧縮データを読み出し再生する再生装置において、
上記記録媒体から圧縮データをｎ（ｎ＞１）ブロック単位で読み出す第１の読出手段と、
上記第１の読出手段で読み出したｎブロック単位の圧縮データをメモリに書き込む書込手段と、
上記書込み手段によりメモリに書き込まれた圧縮データを所定のデータ間隔で抜き出し、抜き出した圧縮データを当該メモリの所定の場所に転写する転写手段と、
上記メモリに書き込まれている圧縮データを読み出す第２の読出手段と、
上記メモリから圧縮データを読み出すように上記第２の読出手段を制御する制御手段と、
早送り再生を行う旨の早送り再生信号を生成し、当該早送り再生信号を上記制御手段に供給する信号生成手段とを備え、
上記制御手段は、上記信号生成手段から上記早送り再生信号が供給されたときに、上記メモリの所定の場所に転写されている圧縮データを読み出すように上記読出手段を制御することを特徴とする再生装置。
【請求項１１】
上記メモリは、第１のメモリと第２のメモリからなっており、
上記転写手段は、圧縮オーディオデータが書き込まれている第１のメモリから圧縮オーディオデータを所定のデータ間隔で抜き出し、抜き出した圧縮オーディオデータを上記第２のメモリに転写し、
上記制御手段は、上記信号生成手段から上記早送り再生信号が供給されたときに、上記第２のメモリに転写されている圧縮オーディオデータを読み出すように上記第２の読出手段を制御することを特徴とする請求項１０記載の再生装置。
【請求項１２】
圧縮データが所定のブロック単位で記録されている記録媒体から圧縮データを再生する再生方法において、
各種の再生動作を操作する操作部から早送り再生を行う旨の早送り再生信号が供給されたとき、上記記録媒体からｎ（ｎ＞１）ブロック単位で圧縮データを読み出し、
読み出したｎブロック単位の圧縮データをメモリに書き込み、
上記メモリから当該早送り再生信号に基づくデータ間隔で圧縮データを読み出すことを特徴とする再生方法。
【請求項１３】
圧縮データが所定のブロック単位で記録されている記録媒体から圧縮データを再生する再生方法において、
メモリに書き込まれている圧縮データを所定のデータ間隔で抜き出し、抜き出した圧縮データを当該メモリの所定の場所に転写し、
各種の再生動作を操作する操作部から早送り再生を行う旨の早送り再生信号が供給されたとき、上記メモリの所定の場所に転写されている圧縮データを読み出すことを特徴とする再生方法。
【発明の詳細な説明】
【技術分野】
【０００１】
本発明は、記録媒体に記録されているデータを再生する際のメモリの制御を行うメモリ制御装置及び方法と、再生装置及び方法に関する。
【背景技術】
【０００２】
記録媒体に記録された圧縮されている音楽データ（以下「圧縮データという。」）を読み出し、再生する再生装置は、音楽データの再生中にユーザの操作に応じて早送り再生等の特殊再生を行う。例えば、再生装置は、１０倍速の早送り再生を行う場合には、記録媒体から６セクタ（１セクタは２３３２バイト）分の圧縮データを読み出して次の５４セクタ分のデータを読み飛ばし、そして再び６セクタ分のデータを読み出す動作を繰り返し行う。
【０００３】
再生装置は、記録媒体から読み出した６セクタ分の圧縮データをメモリに書き込み、メモリに書き込んだ圧縮データが所定量に達したときに、圧縮データをメモリから読み出し、伸張して、データの再生を行う（例えば、特許文献１。）。
【０００４】
しかしながら、再生装置では、通常再生を行っているときに、早送り再生を行う旨の操作がされた場合、メモリに書き込んであったデータを消去し、新たに早送り再生に基づくデータ間隔で圧縮データを記録媒体から読み出し、読み出した圧縮データをメモリに書き込むので、同じデータを記録媒体から何度も読み出す必要があり、早送り再生の動作に多くの電力を要する問題があり、また、早送り再生の音だしが遅れる問題がある。
【０００５】
また、再生装置は、早送り再生を行う場合、記録媒体から当該早送り再生に基づくデータ間隔で圧縮データを取り出す必要があり、記録媒体にアクセスし、圧縮データの読み出しを行う光学系のサーボ機構の制御に高い技術が必要となるため当該装置が高価なものとなる問題がある。
【０００６】
さらに、再生装置は、記録媒体に記録されている圧縮データが所定のブロック単位で記録されており、当該ブロックごとにデータを読み出す構成であった場合には、早送り再生が不可能となる。
【０００７】
【特許文献１】特開２０００−６７５２０号公報
【発明の開示】
【発明が解決しようとする課題】
【０００８】
そこで、本発明は、上述したような実情に鑑みて提案されたものであり、通常再生を行っているときに早送り再生を行う旨の操作がされても、早送り再生の音出しが早く、かつ早送り再生の動作に多くの電力を要さず、また、記録媒体にアクセスする光学系のサーボ機構に高い技術の制御を行う必要のないメモリ制御装置及び方法、再生装置及び方法を提供することを目的とする。
【課題を解決するための手段】
【０００９】
本発明に係るメモリ制御装置は、上述の課題を解決するために、圧縮データが書き込まれているメモリから圧縮データを読み出す読出手段と、上記メモリから所定のデータ間隔で圧縮データを読み出すように上記読出手段を制御する制御手段と、早送り再生を行う旨の早送り再生信号を生成し、当該早送り再生信号を上記制御手段に供給する信号生成手段とを備え、上記制御手段は、上記信号生成手段から上記早送り再生信号が供給されたときに、上記メモリから当該早送り再生信号に基づくデータ間隔で圧縮データを読み出すように上記読出手段を制御する。
【００１０】
また、本発明に係るメモリ制御装置は、上述の課題を解決するために、メモリに書き込まれている圧縮データを所定のデータ間隔で抜き出し、抜き出した圧縮データを当該メモリの所定の場所に転写する転写手段と、上記メモリに書き込まれている圧縮データを読み出す読出手段と、上記メモリから圧縮データを読み出すように上記読出手段を制御する制御手段と、早送り再生を行う旨の早送り再生信号を生成し、当該早送り再生信号を上記制御手段に供給する信号生成手段とを備え、上記制御手段は、上記信号生成手段から上記早送り再生信号が供給されたときに、上記メモリの所定の場所に転写されている圧縮データを読み出すように上記読出手段を制御する。
【００１１】
また、本発明に係るメモリ制御方法は、上述の課題を解決するために、圧縮データをメモリに書き込み、当該メモリから圧縮データを読み出すメモリ制御方法において、各種の再生動作を操作する操作部から早送り再生を行う旨の早送り再生信号が供給されたとき、上記メモリから当該早送り再生信号に基づくデータ間隔で圧縮データを読み出す。
【００１２】
また、本発明に係るメモリ制御方法は、上述の課題を解決するために圧縮データをメモリに書き込み、当該メモリから圧縮データを読み出すメモリ制御方法において、メモリに書き込まれている圧縮データを所定のデータ間隔で抜き出し、抜き出した圧縮データを当該メモリの所定の場所に転写し、各種の再生動作を操作する操作部から早送り再生を行う旨の早送り再生信号が供給されたとき、上記メモリの所定の場所に転写されている圧縮データを読み出す。
【００１３】
また、本発明に係る再生装置は、上述の課題を解決するために、圧縮データが所定のブロック単位で記録されている記録媒体から圧縮データを読み出し、再生する再生装置において、上記記録媒体から上記圧縮データをｎ（ｎ＞１）ブロック単位で読み出す第１の読出手段と、上記第１の読出手段により読み出されたｎブロック単位の圧縮データをメモリに書き込む書込手段と、上記書込手段により上記メモリに書き込まれた圧縮データが所定量に達したときに、当該メモリから圧縮データを読み出す第２の読出手段と、上記メモリから所定のデータ間隔で圧縮データを読み出すように上記第２の読出手段を制御する制御手段と、早送り再生を行う旨の早送り再生信号を生成し、当該早送り再生信号を上記制御手段に供給する信号生成手段とを備え、上記制御手段は、上記信号生成手段から上記早送り再生信号が供給されたときに、上記メモリから当該早送り再生信号に基づくデータ間隔で圧縮データを読み出すように上記第２の読出手段を制御する。
【００１４】
また、本発明に係る再生装置は、上述の課題を解決するために、圧縮データが所定のブロック単位で記録されている記録媒体から圧縮データを読み出し再生する再生装置において、上記記録媒体から圧縮データをｎ（ｎ＞１）ブロック単位で読み出す第１の読出手段と、上記第１の読出手段で読み出したｎブロック単位の圧縮データをメモリに書き込む書込手段と、上記書込み手段によりメモリに書き込まれた圧縮データを所定のデータ間隔で抜き出し、抜き出した圧縮データを当該メモリの所定の場所に転写する転写手段と、上記メモリに書き込まれている圧縮データを読み出す第２の読出手段と、上記メモリから圧縮データを読み出すように上記第２の読出手段を制御する制御手段と、早送り再生を行う旨の早送り再生信号を生成し、当該早送り再生信号を上記制御手段に供給する信号生成手段とを備え、上記制御手段は、上記信号生成手段から上記早送り再生信号が供給されたときに、上記メモリの所定の場所に転写されている圧縮データを読み出すように上記読出手段を制御する。
【００１５】
また、本発明に係る再生方法は、上述の課題を解決するために、圧縮データが所定のブロック単位で記録されている記録媒体から圧縮データを再生する再生方法において、各種の再生動作を操作する操作部から早送り再生を行う旨の早送り再生信号が供給されたとき、上記記録媒体からｎ（ｎ＞１）ブロック単位で圧縮データを読み出し、読み出したｎブロック単位の圧縮データをメモリに書き込み、上記メモリから当該早送り再生信号に基づくデータ間隔で圧縮データを読み出す。
【００１６】
さらに、本発明に係る再生方法は、上述の課題を解決するために、圧縮データが所定のブロック単位で記録されている記録媒体から圧縮データを再生する再生方法において、メモリに書き込まれている圧縮データを所定のデータ間隔で抜き出し、抜き出した圧縮データを当該メモリの所定の場所に転写し、各種の再生動作を操作する操作部から早送り再生を行う旨の早送り再生信号が供給されたとき、上記メモリの所定の場所に転写されている圧縮データを読み出す。
【発明の効果】
【００１７】
本発明に係るメモリ制御装置及び方法は、通常再生から早送り再生に動作が切り替わったときに、メモリに書き込まれた圧縮オーディオデータを所定のデータ間隔で読み出すので、記録されている圧縮データがブロック単位で管理されており、圧縮データを読み出す際に所定数のブロック単位でしか読み出せない構成の記録媒体あっても、早送り再生を行なうことができる。
【００１８】
また、本発明に係る再生装置及び方法は、記録媒体から圧縮データを所定のブロック単位で読み出し、読み出した圧縮データをメモリに書き込み、メモリに書き込んだ圧縮オーディオデータを所定のデータ間隔で読み出すので、通常再生から早送り再生に再生動作が変わっても、同じデータを記録媒体から何度も読み出さず、高速な早送り再生を実現でき、かつ、早送り再生時の電力消費を従来の装置よりも低く抑えることができ、また、再生動作の別にかかわらず記録媒体から圧縮データを所定のブロック単位で一定のタイミングで読み出すので、記録媒体から直接圧縮オーディオデータを読み出す読出部のサーボ機構を高精度なものにする必要がなく、低廉な構成とすることができ、さらに、記録されている圧縮データがブロック単位で管理されており、圧縮データを読み出す際に所定数のブロック単位でしか読み出せない構成の記録媒体あっても、早送り再生を行なうことができる。
【発明を実施するための最良の形態】
【００１９】
以下、本発明の実施の形態としての記録再生装置及びその記録再生方法について説明する。
【００２０】
この実施の形態では、一例として、磁界変調方式でデータ記録が行われる光磁気ディスクであるミニディスク（ＭＤ）に対する記録再生システム（ミニディスクシステム）に対応したものとする。説明は、１．ディスク仕様及びエリア構造、２．ディスクの管理構造、３．ＵＴＯＣ、４．クラスタ構造、５．データトラックにおけるＦＡＴファイルシステム実現例、６．記録再生装置の構成、の順番で説明する。
【００２１】
１．ディスク仕様及びエリア構造
本実施例で採用するディスクは、ミニディスク方式のディスク上に、所定のディスクフォーマットに基づきオーディオデータを記録できるとともに、例えばコンピュータユースの各種データを記録できるものである。なお、説明上の区別のため本明細書では、「オーディオトラック」、「データトラック」、「ＭＤオーディオデータ」及び「高密度データ」という文言を用いる。
【００２２】
「オーディオトラック」は、ミニディスクシステムにおけるオーディオデータの１区画であり、例えば音楽等の場合の１曲に相当する。このオーディオトラックとして記録されるオーディオデータは、ＡＴＲＡＣ(Adaptive Transform Acoustic Coding)圧縮方式で圧縮され、ＡＣＩＲＣ誤り訂正方式及びＥＦＭ変調としての「第１の変調方式」で変調されたデータである。そして、この「オーディオトラック」に記録される第１の変調方式によるオーディオデータを「ＭＤオーディオデータ」とする。
【００２３】
「データトラック」は、例えばパーソナルコンピュータや配信システム等において利用できる汎用データが記録された区画（トラック）である。詳しくは、後述するが、「データトラック」内は、例えばＦＡＴファイルシステム等の汎用ファイルシステムが構築される。記録される実際のデータ種別としては、コンピュータ用途のソフトウェアデータ、アプリケーションプログラム、テキストファイル、画像（動画／静止画）ファイル、音楽等のオーディオデータファイル等多様であり、用途に応じてあらゆるデータ記録に利用できる。
【００２４】
そして、これら各種データは、ＲＬＬ（１−７）ＰＰ変調、ＲＳ−ＬＤＣ誤り訂正方式及びビタビ復調方式を用いることで高密度記録を実現する「第２の変調方式」によるデータとして記録される。そして、「データトラック」に記録される第２の変調方式によるデータを「高密度データ」とする。
【００２５】
図１に、オーディオ用ミニディスク（及びＭＤ−ＤＡＴＡ）と、本実施例で採用するディスクの規格を比較して示す。ミニディスク（及びＭＤ−ＤＡＴＡ）のフォーマットとしては、トラックピッチは、１．６μｍ、ビット長は、０．５９μｍ／ｂｉｔとなる。また、レーザ波長λ＝７８０ｎｍとされ、光学ヘッドの開口率ＮＡ＝０．４５とされる。
【００２６】
記録方式としては、グルーブ記録方式を採っている。つまり、グルーブ（ディスク盤面上の溝）をトラックとして記録再生に用いるようにしている。
【００２７】
アドレス方式としては、シングルスパイラルによるグルーブ（トラック）を形成したうえで、このグルーブの両側に対してアドレス情報としてのウォブルを形成したウォブルドグルーブを利用する方式を採るようにされている。
【００２８】
なお、本明細書では、ウォブリングにより記録される絶対アドレスをＡＤＩＰ（Address in Pregroove）とも呼ぶ。
【００２９】
記録データの変調方式としては、ＥＦＭ（８−１４変換）方式を採用している。また、誤り訂正方式としては、ＡＣＩＲＣ(Advanced Cross Interleave Reed-Solomon Code)が採用され、データインターリーブには、畳み込み型を採用している。データの冗長度は、４６．３％となる。
【００３０】
また、データの検出方式は、ビットバイビット方式である。ディスク駆動方式としては、ＣＬＶ(Constant Linear Velocity)が採用されており、ＣＬＶの線速度としては、１．２ｍ／ｓとされる。
【００３１】
そして、記録再生時の標準のデータレートとしては、１３３ｋＢ／ｓとされ、記録容量としては、１６４ＭＢ（ＭＤ−ＤＡＴＡでは、１４０ＭＢ）となる。また、クラスタというデータ単位がデータの最小書換単位とされるが、このクラスタは、３２個のメインセクタと４個のリンクセクタによる３６セクタで構成される。
【００３２】
一方、本実施例で採用するディスクは、トラックピッチは、１．３μｍ、ビット長は、０．１６μｍ／ｂｉｔとされ、ともにオーディオ用ミニディスクよりも短くなっていることが分かる。
【００３３】
但し、レーザ波長λ＝７８０ｎｍ、光学ヘッドの開口率ＮＡ＝０．４５、記録方式は、グルーブ記録方式、アドレス方式は、シングルスパイラルによるグルーブ（トラック）を形成したうえで、このグルーブの両側に対してアドレス情報としてのウォブルを形成したウォブルドグルーブを利用する方式を採る。つまりこれらの点では、オーディオ用ミニディスクと同様であり、記録再生装置での光学系の構成やＡＤＩＰアドレス読出方式、サーボ処理については、同様となることから互換性が維持される。
【００３４】
記録データの変調方式としては、高密度記録に適合するとされるＲＬＬ（１，７）ＰＰ方式（ＲＬＬ；Run Length Limited、ＰＰ：Parity preserve/Prohibit rmtr(repeated minimum transition runlength)）が採用され、誤り訂正方式としては、より訂正能力の高いＢＩＳ（Burst Indicator Subcode）付きのＲＳ−ＬＤＣ（Reed Solomon−Long Distance Code）方式を用いている。データインターリーブには、ブロック完結型が採用される。データの冗長度は、２０．５０％とされる。また、データの検出方式は、パーシャルレスポンスＰＲ（１，２，１）ＭＬを用いたビタビ復号方式とされる。
【００３５】
また、ディスク駆動方式は、ＣＬＶで、その線速度としては、２．７ｍ／ｓとされ、記録再生時の標準のデータレートとしては、６１４ｋＢ／ｓとされる。そして、記録容量としては、２９７ＭＢを得ることができる。変調方式がＥＦＭからＲＬＬ（１，７）ＰＰ方式とされることでウインドウマージンが０．５から０．６６６となり、この点で、１．３３倍の高密度化が実現できる。
【００３６】
また、物理フォーマットとしてＣＩＲＣ方式から、ＢＩＳ付きのＲＳ−ＬＤＣ方式とセクタ構造の差異とビタビ復号を用いる方式とされることで、データ効率は、５３．７％から７９．５％となり、この点で１．４８倍の高密度化が実現できる。
【００３７】
これらにより総合的には、１．９７倍（約２倍）のデータ容量が実現される。つまり記録容量は、２９７ＭＢという、オーディオ用ミニディスクの約２倍にすることができる。データの最小書換単位とされるクラスタは、１６セクタで構成される。
【００３８】
なお、上述したように本実施例で採用するディスクは、オーディオトラックとデータトラックを混在記録できるものである。そして本実施例で採用するディスクにオーディオトラックが記録される場合、ＭＤオーディオデータの変調方式は、オーディオ用ミニディスクにおいて示したようにＥＦＭ変調及びＡＣＩＲＣ方式となる。
【００３９】
本実施例で採用するディスク上の各種のエリア構造例を図２，図３，図４に模式的に示す。図２，図３，図４のそれぞれに示すように、ディスクの最内周側は、ＰＴＯＣ（プリマスタードＴＯＣ）領域とされ、ここは、物理的な構造としては、プリマスタードエリアとなる。すなわち、エンボスピットによる再生専用データが記録されるエリアであり、その再生専用データとして管理情報であるＰＴＯＣが記録される。
【００４０】
プリマスタードエリアより外周は、レコーダブルエリア（光磁気記録可能な領域）とされ、記録トラックの案内溝としてのグルーブが形成された記録再生可能領域となっている。
【００４１】
このレコーダブルエリアの最内周側は、ＵＴＯＣ領域とされる。なお、詳しい説明は、省略するが、ＵＴＯＣ領域では、プリマスタードエリアとの緩衝エリアや、レーザ光の出力パワー調整等のために用いられるパワーキャリブレーションエリアが設けられ、また、ＵＴＯＣ領域内の特定の３クラスタの区間にＵＴＯＣデータが３回繰り返し記録される。
【００４２】
ＵＴＯＣの内容について詳しくは、後述するが、１つのクラスタ（後述するＡＤＩＰクラスタ）内の３２個の各メインセクタ（ＳＣ00〜ＳＣ1F）においてデータフォーマットが規定され、それぞれ所定の管理情報が記録される。すなわち、プログラムエリアに記録されている各トラックのアドレス、フリーエリアのアドレス等が記録され、また、各トラックに付随するトラックネーム、記録日時等の情報が記録できるようにＵＴＯＣセクタが規定されている。
【００４３】
レコーダブルエリアにおいてＵＴＯＣ領域より外周側がデータエリアとなり、このデータエリアは、オーディオトラックやデータトラックの記録に用いられるエリアとなる。
【００４４】
本実施例で採用するディスクにおけるデータエリアの使用態様としては、オーディオトラックとデータトラックをランダムに混在記録可能とすることが考えられる。
【００４５】
この場合、例えば図２のように、データエリアにおいて、１又は、複数のオーディオトラックが記録されたオーディオ記録領域ＡＡと、１又は、複数のデータトラックが記録された高密度データ記録領域ＤＡが、それぞれ任意の位置に形成される。なお、後にＵＴＯＣの説明においても述べるが、１つのオーディオトラックや１つのデータトラックは、ディスク上で必ずしも物理的に連続して記録される必要はなく、複数のパーツ（パーツとは、物理的に連続して記録される区間）に分けられていてもよい。従って、例えば図２のように物理的に離れた２つの高密度データ記録領域ＤＡが存在する場合でも、データトラックの数としては、１つの場合もあり、複数の場合もある。
【００４６】
また、本実施例で採用するディスクにおけるデータエリアのほかの使用態様としては、オーディオトラックが記録される領域とデータトラックが記録される領域を分割することも考えられる。例えば、予めＰＴＯＣの管理により領域を分割設定したり、ディスクを使用する前の初期化／フォーマット等により領域の分割を行う場合である。この場合、例えば図３のように、ディスク内周側に１又は、複数のデータトラックが記録される高密度データ記録領域ＤＡが設定され、ディスク外周側に１又は、複数のオーディオトラックが記録されるオーディオ記録領域ＡＡが設定される。このように高密度データ記録領域ＤＡとオーディオ記録領域ＡＡがディスク上で分割設定される場合、記録再生装置は、記録再生対象がＭＤオーディオデータであるか高密度データであるかにより、それぞれ対応する領域にアクセスして記録／再生を行うものとなる。
【００４７】
なお、領域設定は、図２の場合とは、逆に、ディスク外周側が高密度データ記録領域ＤＡ、ディスク内周側がオーディオ記録領域ＡＡとされてもよいし、物理的に離間した複数の高密度データ記録領域ＤＡや、同じく物理的に離間した複数のオーディオ記録領域ＡＡが形成されてもよい。但し、図２のように高密度データ記録領域ＤＡが内周側に設定されると、アクセスの点で有利となる。高密度データ記録領域ＤＡに記録されるデータトラックは、例えばコンピュータ用途のデータが記録されるが、その場合、ＭＤオーディオデータの場合に比べて短いデータ区間でアクセスが繰り返し行われることが多いことが想定される。ここで本実施例で採用するディスクは、ＣＬＶ方式であり、内周側の方がディスク１回転に要する時間が短いという事情を鑑みると、内周側は、アクセスの際のディスク回転待ち時間が外周側に比べて短縮されることを意味し、つまりアクセス時間を短くできることになるためである。
【００４８】
また、本実施例で採用するディスクにおけるデータエリアのさらに他の使用態様としては、図４に示すように、データエリアの全域を、データトラックが記録される高密度データ記録領域ＤＡとすることも考えられる。
【００４９】
図２に示したように、オーディオトラックとデータトラックを任意に混在記録可能とする場合は、結果的にデータトラックのみが記録され、図４の状態となることもあるが、予め、図４のようにデータトラックの記録のための専用ディスクとされてもよいものである。
【００５０】
２．ディスクの管理構造
図５により本実施例で採用するディスクの管理構造を説明する。上述したように、管理情報としては、まず通常のミニディスクシステムで採用されているＰＴＯＣ、ＵＴＯＣが記録される。ＰＴＯＣは、書き換え不能な情報としてピットにより記録される。このＰＴＯＣには、ディスクの基本的な管理情報として、ディスクの総容量、ＵＴＯＣ領域におけるＵＴＯＣ位置、パワーキャリブレーションエリアの位置、データエリアの開始位置、データエリアの終了位置（リードアウト位置）等が記録されている。
【００５１】
一方、レコーダブルエリアに記録されるＵＴＯＣは、トラック（オーディオトラック／データトラック）の記録、消去等に応じて書き換えられる管理情報であり、各トラック（トラックを構成するパーツ）について開始位置、終了位置及びモードを管理する。また、データエリアにおいて未だトラックが記録されていないフリーエリア、つまり書込可能領域としてのパーツも管理する。
【００５２】
図５では、一例として、データエリア内に、３つのオーディオトラックと１つのデータトラックが存在する状態を示しているが、この場合、ＵＴＯＣでは、この合計４つのトラックをそれぞれ管理することになる。
【００５３】
３つのオーディオトラックは、例えば３つの楽曲データとされ、これは、ＡＴＲＡＣ圧縮され、ＡＣＩＲＣ及びＥＦＭ方式（第１の変調方式）で変調されたＭＤオーディオデータによるトラックとなる。なお、ＵＴＯＣ及びＰＴＯＣも、所定のディスクシステムに準拠する方式で記録されるものであり、つまりＵＴＯＣ及びＰＴＯＣとしてのデータは、第１の変調方式のデータとされる。
【００５４】
一方、データトラックは、ＲＳ−ＬＤＣ及びＲＬＬ（１−７）ＰＰ方式（第２の変調方式）で変調された高密度データによって形成されるトラックとされる。後述するが、ＵＴＯＣ上では、このデータトラック全体を、ＭＤオーディオデータによらない１つのトラックとして管理する。つまりＵＴＯＣからは、ディスク上における、データトラックの全体としての１又は、複数のパーツ位置を管理するものとなる。
【００５５】
後述するが、データトラックは、後述する高密度データクラスタを最小記録単位として構成される。データトラック内には、該データトラックに含まれる高密度データクラスタを管理するクラスタアトリビュートテーブル（以下「ＣＡＴ」という。）が記録される。ＣＡＴでは、データトラックを構成する高密度データクラスタのそれぞれについての属性（公開可能／不可、正常／不良等）を管理する。
【００５６】
このデータトラック内で公開不可とされる高密度データクラスタを用いて、著作権保護等のために用いられる、ディスクに固有のユニークＩＤ（ＵＩＤ）や、データ改竄チェックのためのハッシュ値（hash）が記録される。もちろんこれ以外にも、各種の非公開情報が記録されてもよい。この公開不可とされる領域には、特別に許可された機器のみが限定的にアクセスすることができるものとする。
【００５７】
データトラック内で公開可能とされる高密度データクラスタによる領域（エクスポータブルエリア）は、例えばＵＳＢやＳＣＳＩ等の汎用データインターフェイスを経由して、外部のコンピュータ等がアクセスし、記録領域として利用できる領域とされる。例えば、この図５の場合、エクスポータブルエリアには、ＦＡＴ及びＦＡＴ管理のデータファイルによる、ＦＡＴファイルシステムが構築されている状態を示している。
【００５８】
つまり、エクスポータブルエリアに記録されるデータは、ＵＴＯＣによっては、管理されず、ＦＡＴ等の汎用的な管理情報により管理される形態となり、ミニディスクシステムに準拠しない外部のコンピュータ等によって認識可能なデータとなる。
【００５９】
なお、このような構造のデータトラックが、ディスク上に複数記録される場合もある。その場合、各データトラックが、それぞれ１つのトラックとしてＵＴＯＣから管理され、それぞれのデータトラック内のエクスポータブルエリア内のデータについては、ＦＡＴ等により管理される。例えば、各データトラックがそれぞれ独自にＦＡＴファイルシステムを持つものとなる。或いは複数のデータトラックにわたって１つのＦＡＴファイルシステムが記録されるようにしてもよい。
【００６０】
また、ユニークＩＤ等の情報は、データトラック内であって、ＦＡＴ管理されないデータとする例を述べたが、ＦＡＴ管理されない情報とするなら、どのような論理形態で記録されてもよい。例えば、ＵＴＯＣから直接的に管理されるトラックとして、非公開情報用のトラックを設けるようにしたり、或いはＵＴＯＣ／ＰＴＯＣ内に記録してもよい。さらに、ＵＴＯＣ領域内で、ＵＴＯＣに使用されていない部分を用いて、非公開情報用の記録領域を設けてもよい。
【００６１】
３．ＵＴＯＣ
ＵＴＯＣの管理方式について説明する。ＵＴＯＣには、ディスク上に記録されるＭＤオーディオデータによるトラック及び高密度データによるデータトラックについてトラック単位で管理を行う。
【００６２】
なお、所定のディスクシステムでは、ウォブリンググルーブによるＡＤＩＰが物理アドレスとして付与されており、オーディオトラック（ミニディスクシステムにおける音楽等のトラック）のデータについては、ＡＤＩＰによって規定されるクラスタ（以下「ＡＤＩＰクラスタ」という。）が最小書換単位となる。
【００６３】
このクラスタの構造については、後述するが、１つのＡＤＩＰクラスタは、３２個のメインセクタと４個のリンクセクタによる３６セクタ（２３５２バイトのＡＤＩＰセクタ）で構成される。ＡＤＩＰとしての物理アドレスは、セクタ単位で付与されている。つまり物理アドレスは、上位値としてのＡＤＩＰクラスタアドレスと下位値としてのＡＤＩＰセクタアドレスからなる。
【００６４】
ＵＴＯＣデータは、上述したＵＴＯＣ領域における特定のＡＤＩＰクラスタにおいて記録される。そしてＵＴＯＣデータとしては、当該ＡＤＩＰクラスタ内のセクタ毎に、その内容が定義されている。ＵＴＯＣセクタ０（当該ＡＤＩＰクラスタ内の先頭のＡＤＩＰセクタ）は、トラックやフリーエリアとしてのパーツを管理する。ＵＴＯＣセクタ１，セクタ４は、トラックに対応して文字情報を管理する。
【００６５】
ＵＴＯＣセクタ２は、トラックに対応して記録日時を管理する。ここでは、セクタ１、セクタ２、セクタ４については、説明を省略し、ＵＴＯＣセクタ０について述べる。
【００６６】
ＵＴＯＣセクタ０は、記録された楽曲等のオーディオトラックや新たにトラックが記録可能なフリーエリア、さらにデータトラックについての管理情報が記録されているデータ領域とされる。例えば、ディスクにトラックの記録を行おうとする際には、記録再生装置は、ＵＴＯＣセクタ０からディスク上のフリーエリアを探し出し、ここにデータ（ＭＤオーディオデータ又は高密度データ）を記録していくことになる。また、再生時には、再生すべきトラックが記録されているエリアをＵＴＯＣセクタ０から判別し、そのエリアにアクセスして再生動作を行う。
【００６７】
図６にＵＴＯＣセクタ０の構造を示す。ＴＯＣセクタ０のデータ領域（２３５２バイト（４バイト×５８８））は、先頭位置にオール０又は、オール１の１バイトデータが並んで形成される同期パターンが記録される。
【００６８】
続いてＡＤＩＰアドレスに対応した値として、クラスタアドレス(Cluster H)(Cluster L)及びセクタアドレス(Sector)となるアドレスが３バイトにわたって記録され、さらにモード情報(MODE)が１バイト付加され、これらをまとめてヘッダとされる。ここでの３バイトのアドレスは、そのセクタ自体のアドレスである。
【００６９】
続いて所定バイト位置に、メーカーコード、モデルコード、最初のトラックのトラックナンバ(First TNO）、最後のトラックのトラックナンバ（Last TNO）、セクタ使用状況(Used sectors)、ディスクシリアルナンバ、ディスクＩＤ等のデータが記録される。
【００７０】
さらに、使用者が録音を行って記録されているトラック（楽曲等）の領域やフリーエリア等を後述するテーブル部に対応させることによって識別するため、ポインタ部として各種のポインタ(P-DFA，P-EMPTY，P-FRA，P-TNO1〜P-TNO255)が記録される領域が用意されている。
【００７１】
そして、ポインタ(P-DFA〜P-TNO255)に対応させることになるテーブル部として(01h)〜(FFh)までの２５５個のパーツテーブルが設けられ、それぞれのパーツテーブルには、あるパーツについて起点となるスタートアドレス、終端となるエンドアドレス、そのパーツのモード情報（トラックモード）が記録されている。スタートアドレス、エンドアドレスは、ＡＤＩＰアドレスとしてのクラスタ／セクタアドレスに相当する値とされる。さらに各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。なお、パーツとは、１つのトラック内で、データが物理的に連続して記録されているトラック部分のことをいう。そして、スタートアドレス、エンドアドレスとして示されるアドレスは、１つの楽曲（トラック）を構成する１又は、複数の各パーツを示すアドレスとなる。
【００７２】
この種の記録再生装置では、１つの楽曲等のトラックのデータを物理的に不連続に、すなわち、複数のパーツにわたって記録されていてもパーツ間でアクセスしながら再生していくことにより再生動作に支障はないため、使用者が記録する楽曲等については、記録可能エリアの効率使用等の目的から、複数パーツに分けて記録する場合もある。
【００７３】
そのため、リンク情報が設けられ、例えば、各パーツテーブルに与えられたナンバ(01h)〜(FFh)によって、連結すべきパーツテーブルを指定することによってパーツテーブルが連結できるようになされている。つまりＵＴＯＣセクタ０におけるテーブル部においては、１つのパーツテーブルは、１つのパーツを表現しており、例えば３つのパーツが連結されて構成される楽曲については、リンク情報によって連結される３つのパーツテーブルによって、そのパーツ位置の管理が行われる。
【００７４】
なお、実際には、リンク情報は、所定の演算処理によりＵＴＯＣセクタ０内のバイトポジションとされる数値で示される。すなわち、３０４＋（リンク情報）×８（バイト目）としてパーツテーブルを指定する。
【００７５】
ＵＴＯＣセクタ０のテーブル部における(01h)〜(FFh)までの各パーツテーブルは、ポインタ部におけるポインタ(P-DFA，P-EMPTY，P-FRA，P-TNO1〜P-TNO255)によって、以下のようにそのパーツの内容が示される。
【００７６】
ポインタP-DFAは、ディスク上の欠陥領域について示しており、傷等による欠陥領域となるトラック部分（＝パーツ）が示された１つのパーツテーブル又は、複数のパーツテーブル内の先頭のパーツテーブルを指定している。つまり、欠陥パーツが存在する場合は、ポインタP-DFAにおいて(01h)〜(FFh)のいづれかが記録されており、それに相当するパーツテーブルには、欠陥パーツがスタート及びエンドアドレスによって示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合は、リンク情報は、例えば『００ｈ』とされ、以降リンクなしとされる。
【００７７】
ポインタP-EMPTYは、テーブル部における１又は、複数の未使用のパーツテーブルの先頭のパーツテーブルを示すものであり、未使用のパーツテーブルが存在する場合は、ポインタP-EMPTYとして、(01h)〜(FFh)のうちのいづれかが記録される。
【００７８】
未使用のパーツテーブルが複数存在する場合は、ポインタP-EMPTYによって指定されたパーツテーブルからリンク情報によって順次パーツテーブルが指定されていき、全ての未使用のパーツテーブルがテーブル部上で連結される。
【００７９】
ポインタP-FRAは、ディスク上のデータの書込可能なフリーエリア（消去領域を含む）について示しており、フリーエリアとなるトラック部分（＝パーツ）が示された１又は、複数のパーツテーブル内の先頭のパーツテーブルを指定している。つまり、フリーエリアが存在する場合は、ポインタP-FRAにおいて(01h)〜(FFh)のいづれかが記録されており、それに相当するパーツテーブルには、フリーエリアであるパーツがスタート及びエンドアドレスによって示されている。また、このようなパーツが複数個有り、つまりパーツテーブルが複数個有る場合は、リンク情報により、リンク情報が『００ｈ』となるパーツテーブルまで順次指定されている。
【００８０】
図７にパーツテーブルにより、フリーエリアとなるパーツの管理状態を模式的に示す。これは、パーツ(03h)(18h)(1Fh)(2Bh)(E3h)がフリーエリアとされている時に、この状態がポインタP-FRAに引き続きパーツテーブル(03h)(18h)(1Fh)(2Bh)(E3h)のリンクによって表現されている状態を示している。なお、上記した欠陥領域や未使用パーツテーブルの管理形態もこれと同様となる。
【００８１】
ポインタP-TNO1〜P-TNO255は、ディスクに記録されたトラックについて示しており、例えばポインタP-TNO1では、第１トラックのデータが記録された１又は、複数のパーツのうちの時間的に先頭となるパーツが示されたパーツテーブルを指定している。例えば、第１トラック（オーディオトラック）とされた楽曲がディスク上でトラックが分断されずに、つまり１つのパーツで記録されている場合は、その第１トラックの記録領域は、ポインタP-TNO1で示されるパーツテーブルにおけるスタート及びエンドアドレスとして記録されている。
【００８２】
また、例えば第２トラック（オーディオトラック）とされた楽曲がディスク上で複数のパーツに離散的に記録されている場合は、その第２トラックの記録位置を示すため各パーツが時間的な順序に従って指定される。つまり、ポインタP-TNO2に指定されたパーツテーブルから、さらにリンク情報によって他のパーツテーブルが順次時間的な順序に従って指定されて、リンク情報が『００ｈ』となるパーツテーブルまで連結される（上記、図７と同様の形態）。このように例えば２曲目を構成するデータが記録された全パーツが順次指定されて記録されていることにより、このＵＴＯＣセクタ０のデータを用いて、２曲目の再生時や、その２曲目の領域への上書き記録を行う際に、記録再生ヘッドをアクセスさせ離散的なパーツから連続的な音楽情報を取り出したり、記録エリアを効率使用した記録が可能になる。
【００８３】
データトラックが記録された場合には、あるポインタP-TNOｘに指定されるパーツテーブルに、そのデータトラックのスタートアドレス、エンドアドレス、トラックモードが記録される。もちろんデータトラックが複数のパーツで構成される場合は、オーディオトラックの場合と同様に、複数のパーツテーブルがリンク情報でリンクされて管理される。
【００８４】
ところで、各パーツテーブルには、１バイトのトラックモードが記録されるが、これは、トラックの属性情報となる。１バイトを構成する８ビットを、ｄ１（ＭＳＢ）〜ｄ８（ＬＳＢ）とすると、このトラックモードは、次のように定義されている。
ｄ１・・・０：ライトプロテクテッド（上書き消去、編集禁止）、１：ライトパーミッテッド
ｄ２・・・０：著作権有り、１：著作権無し
ｄ３・・・０：オリジナル、１：第１世代以上
ｄ４・・・０：オーディオデータ、１：他
ｄ５，ｄ６・・・０１：ノーマルオーディオ、その他：未定義
ｄ７・・・０：モノラル、１：ステレオ
ｄ８・・・０：エンファシスオフ、１：エンファシスオン
ここで、オーディオトラックについてのパーツテーブルのトラックモードでは、上記ｄ４＝０として、ＭＤオーディオデータによるトラックであることが示される。一方、データトラックについてのパーツテーブルのトラックモードでは、上記ｄ４＝１として、ＭＤオーディオデータによるトラックではないことが示される。本実施例の場合、ｄ４＝１が高密度データによるデータトラックであることを示す情報となる。
【００８５】
図８に、ＵＴＯＣによるトラックの管理例を各種示す。図８（ａ）（ｂ）（ｃ）は、図２に示したようにデータエリア上で任意の位置にオーディオトラック及びデータトラックを記録できる場合である。
【００８６】
図８（ａ）では、ＵＴＯＣセクタ０で管理されるトラックＴＫ１、ＴＫ３がオーディオトラックとされ、トラックＴＫ２がデータトラックとされている場合である。この場合、ポインタP-TNO1に示されるパーツテーブルにオーディオトラックＴＫ１のスタートアドレス、エンドアドレス、トラックモードが記述される。また、ポインタP-TNO2に示されるパーツテーブルにデータトラックＴＫ２のスタートアドレス、エンドアドレス、トラックモードが記述される。このトラックモードのｄ４＝１とされる。
【００８７】
ポインタP-TNO3に示されるパーツテーブルにオーディオトラックＴＫ３のスタートアドレス、エンドアドレス、トラックモードが記述される。また、ポインタP-FRAに示されるパーツテーブルにフリーエリアのスタートアドレス、エンドアドレスが記述される。
【００８８】
図８（ｂ）は、ＵＴＯＣセクタ０で管理されるトラックＴＫ１がデータトラックとされ、かつ、このデータトラックは、２つのパーツＴＫ１-1、ＴＫ１-2で形成されている場合である。
【００８９】
この場合、ポインタP-TNO1に示されるパーツテーブルにデータトラックＴＫ１の第１パーツＴＫ１-1のスタートアドレス、エンドアドレス、トラックモードが記述され、また、そのパーツテーブルからリンクされるパーツテーブルにデータトラックＴＫ１の第２パーツＴＫ１-2のスタートアドレス、エンドアドレス、トラックモードが記述される。これらのパーツテーブルでは、トラックモードのｄ４＝１とされる。
【００９０】
図８（ｃ）は、ＵＴＯＣセクタ０で管理されるトラックＴＫ１、ＴＫ３の２つのトラックがデータトラックとされている場合である。この場合、ポインタP-TNO1に示されるパーツテーブルにデータトラックＴＫ１のスタートアドレス、エンドアドレス、トラックモードが記述される。また、ポインタP-TNO3に示されるパーツテーブルにデータトラックＴＫ３のスタートアドレス、エンドアドレス、トラックモードが記述される。これらのパーツテーブルでは、トラックモードのｄ４＝１とされる。
【００９１】
図８（ｄ）は、例えば図３に示したようにデータエリア内でオーディオ記録領域ＡＡと高密度データ記録領域ＤＡが分割設定される場合等の状態であり、内周側にトラックＴＫ１としてデータトラックが記録され、外周側にオーディオトラックＴＫ２，ＴＫ３が記録されている場合である。この場合、ポインタP-TNO1に示されるパーツテーブルにデータトラックＴＫ１のスタートアドレス、エンドアドレス、トラックモードが記述される。
【００９２】
図８（ｅ）（ｆ）は、例えば図４に示したようにデータエリアの全域が高密度データ記録領域ＤＡとされる場合の例である。図８（ｅ）は、データエリア全域にわたる１つのデータトラックＴＫ１が記録された例である。この場合、ポインタP-TNO1に示されるパーツテーブルにデータトラックＴＫ１のスタートアドレス、エンドアドレス、トラックモードが記述される。また、図８（ｆ）は、データエリアに２つのデータトラックＴＫ１、ＴＫ２が記録された例である。この場合、ポインタP-TNO1に示されるパーツテーブルにデータトラックＴＫ１のスタートアドレス、エンドアドレス、トラックモードが記述され、ポインタP-TNO2に示されるパーツテーブルにデータトラックＴＫ２のスタートアドレス、エンドアドレス、トラックモードが記述される。
【００９３】
これらの例に示すように、ＵＴＯＣによっては、オーディオトラックは、トラック単位で管理され、また、データトラックも、そのトラック単位で管理される。データトラック内での実際の管理は、上述したように、例えばＦＡＴファイルシステムが構築される等して行われる。
【００９４】
４．クラスタ構造
続いて本実施例で採用するディスクに採用されるクラスタ構造を説明する。
【００９５】
オーディオ用のミニディスクシステムでは、ＡＤＩＰとしての物理アドレスに対応したクラスタ／セクタ構造が採られ、本実施例で採用するディスクでも、オーディオトラックの記録再生に関しては、そのクラスタ／セクタ構造がそのまま用いられる。
【００９６】
まず、このＡＤＩＰに応じたクラスタ／セクタ構造を図９（ａ）（ｂ）で説明する。なお、本明細書では、説明上の区別のため、ＡＤＩＰに応じたクラスタ／セクタを、「ＡＤＩＰクラスタ」及び「ＡＤＩＰセクタ」という。また、後述するが、データトラックの記録再生に関しては、異なるクラスタ／セクタ構造が採られるが、これを「高密度データクラスタ」及び「高密度データセクタ」と呼ぶ。
【００９７】
ＭＤオーディオデータについては、記録データとしてＡＤＩＰクラスタという単位毎のデータストリームが形成されるが、ミニディスクシステムでの記録トラック上は、図９（ｂ）のようにクラスタＣＬ（ＣＬ＃（ｎ）、ＣＬ＃（ｎ＋１）・・・）が連続して形成されており、１ＡＤＩＰクラスタがＭＤオーディオデータの記録時の最小単位とされる。
【００９８】
そして、１ＡＤＩＰクラスタＣＬは、図９（ａ）にＡＤＩＰセクタＳＣFC〜ＳＣFFとして示す４個のリンクセクタと、ＡＤＩＰセクタＳＣ00〜ＳＣ1Fとして示す３２個ののメインセクタから形成されている。すなわち、１ＡＤＩＰクラスタは、３６ＡＤＩＰセクタで構成される。１ＡＤＩＰセクタは、２３５２バイトで形成されるデータ単位である。
【００９９】
リンクセクタＳＣFC〜ＳＣFFは、記録動作の切れ目としての緩衝領域や各種動作調整その他、或いはサブデータとして設定された情報の記録に用いることができる。
【０１００】
そして、上述したＰＴＯＣデータ、ＵＴＯＣデータ、ＭＤオーディオデータ等の記録は、３２セクタのメインセクタＳＣ00〜ＳＣ1Fに行われる。リンクセクタとメインセクタは、物理的には同一のものである。
【０１０１】
ここで、このような物理的なクラスタ／セクタ構造を有するディスクに対してデータトラックを記録する場合、つまり上述した第２の変調方式によりデータ記録の線密度がＭＤオーディオデータより高められた高密度データを記録する場合を考える。
【０１０２】
線密度の高い高密度データを記録すると、ディスクに元々記録されているＡＤＩＰから得られるアドレスと、実際に記録する信号のアドレスが一致しなくなる。ランダムアクセスは、ＡＤＩＰアドレスを基準に行うことになるが、データ読出の場合は、ＡＤＩＰアドレスに基づいておおよその位置にアクセスして記録されたデータを読み出すようにすればよく、さほど大きな問題とはならない。ところが、データ書込の場合は、正確な位置にアクセスして書込を行うようにしなければ、既に記録されているデータを上書きにより消去してしまうおそれがある。また、再生時も正確な位置にアクセスできる方が、迅速なデータ読み出しのために好適であることはいうまでもない。
【０１０３】
従って、高密度データの記録再生についての高密度データクラスタ／高密度データセクタも、ＡＤＩＰアドレスから正確に把握できるようにすることが適切である。そこで、ディスクに成型記録されたＡＤＩＰアドレスを所定規則で変換して得られるデータ単位として、高密度データクラスタが把握できるようにする。
【０１０４】
さらにこの場合において、ＡＤＩＰアドレス単位であるＡＤＩＰセクタの整数倍が、高密度データクラスタとなるようにする。これによって、任意の位置への高密度データの記録時に、ディスクからのＡＤＩＰアドレスが得られてから、いつも同じタイミングで書込を開始することができるようになる。
【０１０５】
また、ＡＤＩＰアドレス単位であるＡＤＩＰクラスタ内に、整数個の高密度データクラスタが含まれるようにする。すると、ＡＤＩＰクラスタアドレスから高密度データクラスタアドレスへのアドレス変換規則が単純化され、換算のための回路又は、ソフトウェア構成が簡略化できる。
【０１０６】
このような考え方に基づいて、１ＡＤＩＰクラスタに２つの高密度データクラスタが書き込まれるようにする例を図９（ｃ）（ｄ）に示す。図９（ｃ）のように、各高密度データクラスタｄＣＬ（ｄＣＬ＃（２ｎ）、ｄＣＬ＃（２ｎ＋１）・・・）は、１／２ＡＤＩＰクラスタの区間に形成される。すなわち、２高密度データクラスタ区間＝１ＡＤＩＰクラスタ区間となり、１８ＡＤＩＰセクタ区間＝１高密度データクラスタ区間となる。
【０１０７】
したがって、ある区画（パーツ）において、その先頭からのＡＤＩＰクラスタ数（＝ＡＤＩＰクラスタオフセット）が＃ｎであるＡＤＩＰクラスタＣＬ＃（ｎ）に記録される２つの高密度データクラスタのオフセットは、それぞれ＃２ｎ、＃２ｎ＋１となる。つまり図９（ｂ）（ｃ）に示すように、ＡＤＩＰクラスタＣＬ＃（ｎ）には、高密度データクラスタｄＣＬ＃（２ｎ）、ｄＣＬ＃（２ｎ＋１）が記録される。高密度データクラスタｄＣＬ＃（２ｎ）は、ＡＤＩＰクラスタＣＬ＃（ｎ）におけるＡＤＩＰセクタＳＣFC〜ＳＣ0Dの区間、高密度データクラスタｄＣＬ＃（２ｎ＋１）は、ＡＤＩＰクラスタＣＬ＃（ｎ）におけるＡＤＩＰセクタＳＣ0E〜ＳＣ1Fの区間となる。
【０１０８】
このような高密度データクラスタが、高密度データについての最小書換単位となる。そして高密度データクラスタは、１６個の高密度データセクタが含まれる構造とされる。すなわち、図９（ｄ）に示すように、１つの高密度データクラスタの区間は、その前端にプリアンブル、後端にポストアンブルが形成され、プリアンブルとポストアンブルに挟まれた区間に１６個の高密度データセクタｄＳＣ＃０〜ｄＳＣ＃１５が配される。
【０１０９】
１つの高密度データセクタは、例えば４０９６バイトとされる。この高密度データセクタは、ＡＤＩＰアドレスと直接的な相関関係にあるものではない。なお、図９では、１つのＡＤＩＰクラスタに２つの高密度データクラスタを配する例を示したが、１つのＡＤＩＰクラスタに３以上の高密度データクラスタを配するようにすることも考えられる。もちろん１つの高密度データクラスタが、１８ＡＤＩＰセクタの区間に限定されるものではない。
【０１１０】
これらは、第１の変調方式と第２の変調方式のデータ記録密度の差や高密度データクラスタを構成するセクタ数、１セクタのサイズの設定等、各種の設計条件に応じて決定されればよい。
【０１１１】
５．データトラックにおけるＦＡＴファイルシステム実現例
高密度データとして各種データが記録されるデータトラックの構造例を図１０で説明する。図５において述べたように、データトラックには、エクスポータブルエリアとして外部コンピュータ機器等に解放される領域が形成され、また、外部に対しては、非公開の領域が設定されて、ユニークＩＤやハッシュ値が記録される。また、データトラックを構成する高密度データクラスタは、クラスタアトリビュートテーブル（ＣＡＴ）で管理される。図１０では、エクスポータブルエリアにおいてＦＡＴファイルシステムが実現されている例を示している。
【０１１２】
この例の場合は、図１０（ｄ）（ｅ）に示すように、ディスク上で１つのデータトラックが、ＵＴＯＣにおいて２つのパーツとして管理される状態で記録されているものとしている。データトラックの第１のパーツは、図示するＡＤＩＰクラスタ＃０〜＃２の区間、第２のパーツは、ＡＤＩＰクラスタ＃３の区間とされているとする。この場合、２つのパーツは、図１０（ｅ）に模式的に示すように物理的に離れた位置となっている。
【０１１３】
このデータトラックは、４つのＡＤＩＰクラスタにおいて形成されることになるが、図９で説明したクラスタ構造の場合は、図１０（ｃ）に示す８個の高密度データクラスタ＃０〜＃７によってデータトラックが構成されることになる。
【０１１４】
この高密度データクラスタ＃０〜＃７は、ＣＡＴにより管理され、ＣＡＴによってある高密度データクラスタは、図５に示したエクスポータブルエリア、ある高密度データクラスタは、外部から見えないエリア（ヒドゥン（セキュア）データエリア）とされる。この例では、高密度データクラスタ＃０がヒドゥンデータエリアとされて、ここにユニークＩＤとしてのディスクＩＤやハッシュ値が記録される。また、この例では、高密度データクラスタ＃１〜＃７がエクスポータブルエリアとされる。
【０１１５】
このエクスポータブルエリアは、ＵＳＢやＳＣＳＩといったインターフェイスを介して外部のコンピュータ装置等から自由にアクセスできるエリアとなる。エクスポータブルエリアでの書込／読出の単位は、一般的には、５１２バイト、１０２４バイト、２０４８バイト等となりデータトラックの書換単位である高密度データクラスタよりも小さい。
【０１１６】
エクスポータブルエリアの使用方法は、接続されたコンピュータのＯＳ等に依存するが、この例では、エクスポータブルエリアにＦＡＴファイルシステムが記録されるものとしている。
【０１１７】
すなわち、図１０（ｂ）のように、例えば８１９２バイトのＦＡＴクラスタ＃０〜＃５５が形成される。また、１つのＦＡＴクラスタは、各２０４８バイトの４つのＦＡＴセクタ＃０〜＃３で形成される。ここでいうＦＡＴセクタ、ＦＡＴクラスタは、ＦＡＴファイルシステムでの扱い単位であり、上述したＡＤＩＰクラスタ又は、高密度データクラスタ、ＡＤＩＰセクタ又は、高密度データセクタに依存するものではない。例えば、このＦＡＴクラスタ＃０〜＃５５において、ＦＡＴ及びＦＡＴ管理によるデータファイルにより構成されるＦＡＴファイルシステムが格納されることになる。
【０１１８】
なお、ＦＡＴファイルシステムでのデータの扱いは、コンピュータ上では、ＦＡＴセクタ単位で行われる。しかしながら、ディスクに対する書換単位は、高密度データクラスタとなるため、例えば、ある１つのＦＡＴセクタの書換の場合も、ディスク上での書換は、そのＦＡＴセクタが含まれる高密度データクラスタの単位で行われることになる。
【０１１９】
例えば、このようにディスク上のデータトラックとして記録されたＦＡＴファイルシステムに対するＦＡＴセクタのデータの書込／読出については後述する。
【０１２０】
ヒドゥンデータエリアとされた高密度データクラスタ＃０に記録されるユニークＩＤやハッシュ値は、ＦＡＴファイルシステムのデータについての認証、改竄チェック等に用いられる。また、ヒドゥンデータエリアに対する書込／読出は、特定の機器のみが可能とされるが、その場合別途定められる相互認証のうえで暗号化して行われる。
【０１２１】
なお、図１０では、先頭の高密度データクラスタ＃０をヒドゥンデータエリアとしたが、もちろんデータトラックを構成するどの高密度データクラスタをヒドゥンデータエリアとしてもよい。
【０１２２】
６．記録再生装置の構成
図１１、図１２により、本実施例で採用するディスクに対応する記録再生装置の構成を説明する。図１１には、本発明に係る記録再生装置１が、例えばパーソナルコンピュータ１００と接続可能なものとして示している。
【０１２３】
記録再生装置１は、メディアドライブ部２、メモリ転送コントローラ３、クラスタバッファメモリ４、補助メモリ５、ＵＳＢインターフェイス６，８、ＵＳＢハブ７、システムコントローラ９、オーディオ処理部１０を備える。
【０１２４】
メディアドライブ部２は、装填された本実施例で採用するディスク９０に対する記録／再生を行う。なお、メディアドライブ部２の内部構成について図１２を用いて後述する。
【０１２５】
メモリ転送コントローラ３は、メディアドライブ部２からの再生データやメディアドライブ部２に供給する記録データについての受け渡しの制御を行う。クラスタバッファメモリ４は、メモリ転送コントローラ３の制御に基づいて、メディアドライブ部２によってディスク９０のデータトラックから高密度データクラスタ単位で読み出されたデータのバッファリングを行う。補助メモリ５は、メモリ転送コントローラ３の制御に基づいて、メディアドライブ部２によってディスク９０から読み出された各種管理情報や特殊情報を記憶する。すなわち、ＵＴＯＣデータ、ＣＡＴデータ、ユニークＩＤ、ハッシュ値等を記憶する。
【０１２６】
システムコントローラ９は、記録再生装置１内の全体の制御を行うとともに、接続されたパーソナルコンピュータ１００との間の通信制御を行う。すなわち、システムコントローラ９は、ＵＳＢインターフェイス８、ＵＳＢハブ７を介して接続されたパーソナルコンピュータ１００との間で通信可能とされ、書込要求、読出要求等のコマンドの受信やステイタス情報その他の必要情報の送信等を行う。
【０１２７】
システムコントローラ９は、例えばディスク９０がメディアドライブ部２に装填されることに応じて、ディスク９０からの管理情報等の読み出しをメディアドライブ部２に指示し、メモリ転送コントローラ３によって読み出した管理情報等を補助メモリ５に格納させる。
【０１２８】
システムコントローラ９は、ＰＴＯＣ、ＵＴＯＣの管理情報を読み込ませることで、ディスク９０のトラック記録状態を把握でき、また、ＣＡＴを読み込ませることによりデータトラック内の高密度データクラスタ構造を把握でき、パーソナルコンピュータ１００からのデータトラックに対するアクセス要求に対応できる状態となる。また、ユニークＩＤやハッシュ値により、ディスク認証その他の処理を行ったり、或いはこれらの値をパーソナルコンピュータ１００に送信して処理させることができる。
【０１２９】
また、パーソナルコンピュータ１００からのあるＦＡＴセクタの読み出し要求があった場合は、システムコントローラ９は、メディアドライブ部２に、当該ＦＡＴセクタを含む高密度データクラスタの読出を実行させる。読み出された高密度データクラスタは、メモリ転送コントローラ３によってクラスタバッファメモリ４に書き込まれる。但し、既に当該ＦＡＴセクタのデータがクラスタバッファメモリ４に格納されていた場合は、メディアドライブ部２による読出は、必要ない。そしてシステムコントローラ９は、クラスタバッファメモリ４に書き込まれている高密度データクラスタのデータから、要求されたＦＡＴセクタのデータを読み出させ、ＵＳＢインターフェイス６，ＵＳＢハブ７を介してパーソナルコンピュータ１００に送信させる制御を行う。
【０１３０】
パーソナルコンピュータ１００からのあるＦＡＴセクタの書込要求があった場合は、システムコントローラ９は、メディアドライブ部２に、まず当該ＦＡＴセクタを含む高密度データクラスタの読み出しを実行させる。読み出された高密度データクラスタは、メモリ転送コントローラ３によってクラスタバッファメモリ４に書き込まれる。但し、既に当該ＦＡＴセクタのデータがクラスタバッファメモリ４に格納されていた場合は、メディアドライブ部２による読み出しは必要ない。そして、システムコントローラ９は、パーソナルコンピュータ１００からのＦＡＴセクタのデータ（記録データ）をＵＳＢインターフェイス６を介してメモリ転送コントローラ３に供給させ、クラスタバッファメモリ４上で該当するＦＡＴセクタのデータの書換えを実行させる。
【０１３１】
そして、システムコントローラ９は、メモリ転送コントローラ３に指示して、必要なＦＡＴセクタが書き換えられた状態でクラスタバッファメモリ４に記憶されている高密度データクラスタのデータを、記録データとしてメディアドライブ部２に転送させる。メディアドライブ部２では、当該高密度データクラスタの記録データを第２の変調方式で変調してディスク９０に書き込む。
【０１３２】
なお、以上は、データトラックの記録再生のための制御であり、ＭＤオーディオデータ（オーディオトラック）の記録再生時のデータ転送は、オーディオ処理部１０を介して行われる。
【０１３３】
ここで、データトラック及びオーディオトラックの両方について記録再生を行う機能を有するものとしてのメディアドライブ部２の構成を図１２で説明する。
【０１３４】
メディアドライブ部２においては、装填されたディスク９０をスピンドルモータ２９によってＣＬＶ方式で回転駆動させる。このディスク９０に対しては、記録／再生時に光学ヘッド１９によってレーザ光が照射される。
【０１３５】
光学ヘッド１９は、記録時には、記録トラックをキュリー温度まで加熱するための高レベルのレーザ出力を行い、また、再生時には、磁気カー効果により反射光からデータを検出するための比較的低レベルのレーザ出力を行う。このため、光学ヘッド１９には、ここでは、詳しい図示は、省略するがレーザ出力手段としてのレーザダイオード、偏光ビームスプリッタや対物レンズ等からなる光学系及び反射光を検出するためのディテクタが搭載されている。光学ヘッド１９に備えられる対物レンズとしては、例えば２軸機構によってディスク半径方向及びディスクに接離する方向に変位可能に保持されている。
【０１３６】
また、ディスク９０を挟んで光学ヘッド１９と対向する位置には、磁気ヘッド１８が配置されている。磁気ヘッド１８は、記録データによって変調された磁界をディスク９０に印加する動作を行う。また、図示しないが光学ヘッド１９全体及び磁気ヘッド１８をディスク半径方向に移動させためスレッドモータ及びスレッド機構が備えられている。
【０１３７】
このメディアドライブ部２では、光学ヘッド１９、磁気ヘッド１８による記録再生ヘッド系、スピンドルモータ２９によるディスク回転駆動系のほかに、記録処理系、再生処理系、サーボ系等が設けられる。
【０１３８】
記録処理系では、オーディオトラックの記録時に第１の変調方式の変調（ＥＦＭ変調・ＡＣＩＲＣエンコード）を行う部位と、データトラックの記録時に第２の変調方式（ＲＬＬ（１−７）ＰＰ変調、ＲＳ−ＬＤＣエンコード）の変調を行う部位が設けられる。
【０１３９】
再生処理系では、オーディオトラックの再生時に第１の変調方式に対する復調（ＥＦＭ復調・ＡＣＩＲＣデコード）を行う部位と、データトラックの記録時に第２の変調方式に対する復調（パーシャルレスポンスＰＲ（１，２，１）及びビタビ復号を用いたデータ検出に基づくＲＬＬ（１−７）復調、ＲＳ−ＬＤＣデコード）を行う部位が設けられる。
【０１４０】
光学ヘッド１９のディスク９０に対するレーザ照射によりその反射光として検出された情報（フォトディテクタによりレーザ反射光を検出して得られる光電流）は、ＲＦアンプ２１に供給される。ＲＦアンプ２１では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【０１４１】
オーディオトラック再生時には、ＲＦアンプで得られた再生ＲＦ信号は、ＥＦＭ復調部２４及びＡＣＩＲＣデコーダ２５で処理される。すなわち、再生ＲＦ信号は、ＥＦＭ復調部２４で２値化されてＥＦＭ信号列とされた後、ＥＦＭ復調され、さらにＡＣＩＲＣデコーダ２５で誤り訂正及びデインターリーブ処理される。すなわち、この時点でＡＴＲＡＣ圧縮データの状態となる。そして、オーディオトラック再生時には、セレクタ２６は、Ｂ接点側が選択されており、当該復調されたＡＴＲＡＣ圧縮データがディスク９０からの再生データとして出力される。この場合、再生データは、メモリ転送コントとローラ３を介して、オーディオ処理部１０に供給される。
【０１４２】
一方、データトラック再生時には、ＲＦアンプ２１で得られた再生ＲＦ信号は、ＲＬＬ（１−７）ＰＰ復調部２２及びＲＳ−ＬＤＣデコーダ２３で処理される。すなわち、再生ＲＦ信号は、ＲＬＬ（１−７）ＰＰ復調部２２において、ＰＲ（１，２，１）及びビタビ復号を用いたデータ検出によりＲＬＬ（１−７）符号列としての再生データを得、このＲＬＬ（１−７）符号列に対してＲＬＬ（１−７）復調処理が行われる。そして、ＲＳ−ＬＤＣデコーダ２３で誤り訂正及びデインターリーブ処理される。
【０１４３】
そして、データトラック再生時には、セレクタ２６は、Ａ接点側が選択されており、当該復調されたデータがディスク９０からの再生データとして出力される。この場合、図１１のメモリ転送コントローラ３に復調データが供給されることになる。
【０１４４】
ＲＦアンプ２１から出力されるトラッキングエラー信号ＴＥ、フォーカスエラー信号ＦＥは、サーボ回路２７に供給され、グルーブ情報は、ＡＤＩＰデコーダ３０に供給される。
【０１４５】
ＡＤＩＰデコーダ３０は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク９０の絶対アドレス情報であるＡＤＩＰアドレスは、ドライブコントローラ３１に供給される。ドライブコントローラ３１では、ＡＤＩＰアドレスに基づいて、所要の制御処理を実行する。また、グルーブ情報は、スピンドルサーボ制御のためにサーボ回路２７に供給される。
【０１４６】
サーボ回路２７は、例えばグルーブ情報に対して再生クロック（デコード時のＰＬＬ系クロック）との位相誤差を積分して得られる誤差信号に基づき、ＣＬＶサーボ制御のためのスピンドルエラー信号を生成する。
【０１４７】
また、サーボ回路２７は、スピンドルエラー信号や、上記のようにＲＦアンプ２１から供給されたトラッキングエラー信号、フォーカスエラー信号、或いはドライブコントローラ３１からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。すなわち、上記サーボエラー信号や指令に対して位相補償処理、ゲイン処理、目標値設定処理等の必要処理を行って各種サーボ制御信号を生成する。
【０１４８】
モータドライバ３１では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。このようなサーボドライブ信号により、ディスク９０に対するフォーカス制御、トラッキング制御及びスピンドルモータ２９に対するＣＬＶ制御が行われることになる。
【０１４９】
ディスク９０に対して記録動作が実行される際には、メモリ転送コントローラ３からの高密度データ、或いはオーディオ処理部１０からのＡＴＲＡＣ圧縮データが供給される。
【０１５０】
オーディオトラック記録時には、セレクタ１６がＢ接点に接続され、従ってＡＣＩＲＣエンコーダ１４及びＥＦＭ変調部１５が機能することになる。この場合、オーディオ処理部１０からの圧縮データは、メモリ転送コントローラ３を介してＡＣＩＲＣエンコーダ１４に供給され、ＡＣＩＲＣエンコーダ１４でインターリーブ及びエラー訂正コード付加が行われた後、ＥＦＭ変調部１５でＥＦＭ変調が行われる。
【０１５１】
そしてＥＦＭ変調データがセレクタ１６を介して磁気ヘッドドライバ１７に供給され、磁気ヘッド１８がディスク９０に対してＥＦＭ変調データに基づいた磁界印加を行うことでオーディオトラックの記録が行われる。
【０１５２】
データトラック記録時には、セレクタ１６がＡ接点に接続され、従ってＲＳ−ＬＤＣエンコーダ１２及びＲＬＬ（１−７）ＰＰ変調部１３が機能することになる。この場合、メモリ転送コントローラ３からの高密度データは、ＲＳ−ＬＤＣエンコーダ１２でインターリーブ及びＲＳ−ＬＤＣ方式のエラー訂正コード付加が行われた後、ＲＬＬ（１−７）ＰＰ変調部１３でＲＬＬ（１−７）変調が行われる。
【０１５３】
そして、ＲＬＬ（１−７）符号列としての記録データがセレクタ１６を介して磁気ヘッドドライバ１７に供給され、磁気ヘッド１８がディスク９０に対して変調データに基づいた磁界印加を行うことでデータトラックの記録が行われる。
【０１５４】
レーザドライバ／ＡＰＣ２０は、上述した再生時及び記録時においてレーザダイオードにレーザ発光動作を実行させるが、いわゆるＡＰＣ（Automatic Laser Power Control）動作も行う。すなわち、図示していないが、光学ヘッド１９内には、レーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。なお、レーザパワーとしては、再生レーザパワー、記録レーザパワーとしての値がドライブコントローラ３１によって、レーザドライバ／ＡＰＣ２０内部のレジスタにセットされる。
【０１５５】
ドライブコントローラ３１は、システムコントローラ９からの指示に基づいて、以上の各動作（アクセス、各種サーボ、データ書込、データ読出の各動作）が実行されるように制御を行う。なお、図１２において一点鎖線で囲ったＡ部、Ｂ部は、例えば１チップの回路部として構成できる。
【０１５６】
ところで、ディスク９０が図３のように、予めデータトラック記録領域ＤＡとオーディオトラック記録領域ＡＡが分割されるように領域設定されている場合は、システムコントローラ９は、記録再生するデータがオーディオトラックかデータトラックかに応じて、当該領域設定に基づいたアクセスをメディアドライブ部２のドライブコントローラ３１に指示することになる。また、ディスク９０として、図４のように全域がデータトラック記録領域ＤＡとされた専用ディスクが装填された場合は、システムコントローラ９は、当該ディスクに対しては、オーディオトラックの記録を禁止する制御を行う。つまりオーディオ処理部１０を機能させないように制御する。
【０１５７】
ここで、記録再生装置１が通常再生から早送り再生に動作を切り換えたときのオーディオ処理部１０の動作について以下に述べる。なお、ディスク９０は、圧縮されたオーディオデータ（以下「圧縮データ」という。）が１６ｋＢごとにブロック化されているものとする。また、記録再生装置１では、メディアドライブ部２のサーボ機構の負担を考慮して、再生動作の別にかかわらずディスクからは一定のタイミングで圧縮データをｎ（ｎは自然数であり、１よりも大きい（ｎ＞１）ものとする。）ブロック単位で読み出すこととする。
【０１５８】
オーディオ処理部１０は、図１３に示すように、メモリ転送コントローラ３から供給された圧縮データにデコード処理を行うＡＴＲＡＣ圧縮デコーダ（以下「ＡＴＲＡＣ部」という。）４０からなる。
【０１５９】
メモリ転送コントローラ３は、図１４のフローチャートに示すように、メディアドライブ部２から供給された圧縮データをクラスタバッファメモリ４に書き込む（ステップＳ１）。クラスタバッファメモリ４に供給された圧縮データが所定量に達したときに、ＡＴＲＡＣ部４０は、ユーザの操作に応じて所定の操作信号を生成する操作部４１から供給される操作信号に基づき、クラスタバッファメモリ４から圧縮データを読み出し、読み出した圧縮データをデコード処理する（ステップＳ２）。
【０１６０】
ＡＴＲＡＣ部４０は、操作部４１から供給された操作信号が早送り再生を行う旨の操作信号かどうかを判断する（ステップＳ３）。ＡＴＲＡＣ部４０は、操作部４１から供給された操作信号が早送り再生を行う旨の操作信号でないと判断した場合には、通常再生を行うべくクラスタバッファメモリ４から順々に圧縮データを読み出す（ステップＳ４）。一方、ＡＴＲＡＣ部４０は、操作部４１から供給された操作信号が早送り再生を行う旨の操作信号であると判断した場合には、早送り再生を行うべく、供給された操作信号に基づき現在の読み出し位置から所定のデータ間隔で圧縮データをクラスタバッファメモリ４から読み出す（ステップＳ５）。なお、ＡＴＲＡＣ部４０は、ステップＳ２〜ステップＳ５において、直接クラスタバッファメモリ４からデータを読み出してきても良いし、メモリ転送コントローラ３を介してデータを読み出しても良い。
【０１６１】
また、オーディオ処理部１０は、早送り再生を行うときにクラスタバッファメモリ４から所定のデータ間隔で圧縮データを読み出せる構成であれば上述した構成でなくても良い。以下に、オーディオ処理部１０の他の構成について、図１５を用いて説明する。なお、図１３に示す構成に対応する部分には同一符号を付すこととする。
【０１６２】
オーディオ処理部１０は、図１５に示すように、圧縮データが書き込まれているクラスタバッファメモリ４から当該圧縮データを所定のデータ間隔で抜き出し、抜き出した圧縮データを当該クラスタバッファメモリ４の所定の場所に転写する転写部４２と、クラスタバッファメモリ４からデータを読み出し、読み出したデータにデコード処理を行うＡＴＲＡＣ部４０を有する。
【０１６３】
ここで、通常再生から早送り再生に動作が切り替わったときのオーディオ処理部１０の動作を図１６に示すフローチャートにしたがって説明する。
【０１６４】
メモリ転送コントローラ３は、メディアドライブ部２から供給された圧縮データをクラスタバッファメモリ４に書き込む（ステップＳ１０）。転写部４２は、クラスタバッファメモリ４に書き込まれた圧縮データを所定のデータ間隔で抜き出し、抜き出した圧縮データを当該クラスタバッファメモリ４の所定の場所に転写する（ステップＳ１１）。クラスタバッファメモリ４に供給された圧縮データが所定量に達したときに、ＡＴＲＡＣ部４０は、ユーザの操作に応じて所定の操作信号を生成する操作部４１から供給される操作信号に基づき、クラスタバッファメモリ４から圧縮データを読み出し、読み出した圧縮データをデコード処理する（ステップＳ１２）。ＡＴＲＡＣ部４０は、操作部４１から供給された操作信号が早送り再生を行う旨の操作信号かどうかを判断する（ステップＳ１３）。ＡＴＲＡＣ部４０は、操作部４１から供給された操作信号が早送り再生を行う旨の操作信号でないと判断した場合には、通常再生を行うべくクラスタバッファメモリ４から順々に圧縮データを読み出す（ステップＳ１４）。一方、ＡＴＲＡＣ部４０は、操作部４１から供給された操作信号が早送り再生を行う旨の操作信号であると判断した場合には、早送り再生を行うべく、ステップＳ１１でクラスタバッファメモリ４の所定の場所に転写してある圧縮データを読み出す（ステップＳ１５）。なお、ＡＴＲＡＣ部４０は、ステップＳ１１〜ステップＳ１５において、直接クラスタバッファメモリ４からデータを読み出してきても良いし、メモリ転送コントローラ３を介してデータを読み出しても良い。
【０１６５】
また、クラスタバッファメモリ４は、第１のメモリ及び第２のメモリからなっていても良い。この場合には、メディアドライブ部２から供給された圧縮データは、第１のメモリに書き込まれる。転写部４２は、ステップＳ１１において、第１のメモリから圧縮オーディオデータを所定のデータ間隔で抜き出し、抜き出した圧縮オーディオデータを第２のメモリに転写する。ＡＴＲＡＣ部４０は、操作部４１から供給された操作信号が早送り再生を行う旨の操作信号でないと判断した場合には、ステップＳ１４において、第１のメモリから圧縮データを読み出す。一方、ＡＴＲＡＣ部４０は、操作部４１から供給された操作信号が早送り再生を行う旨の操作信号であると判断した場合には、ステップＳ１５において、第２のメモリから圧縮データを読み出す。
【０１６６】
したがって、本発明に係る記録再生装置１は、ディスク９０から圧縮データを所定のブロック単位で読み出し、読み出した圧縮データを図１３又は図１５に示す構成のオーディオ処理部１０に入力し、操作部４１から早送り再生を行う旨の操作信号が供給された場合に、早送り再生を行うべく、ＡＴＲＡＣ部４０でクラスタバッファメモリ４から所定のデータ間隔で圧縮データを読み出すので、通常再生から早送り再生に再生動作が変わっても、同じデータをディスク９０から何度も読み出さず、高速な早送り再生を実現でき、かつ、早送り再生時の電力消費を従来の記録再生装置よりも低く抑えることができ、また、再生動作の別にかかわらずディスク９０から圧縮データを所定のブロック単位で一定のタイミングで読み出すので、メディアドライブ部２のサーボ機構を高精度なものにする必要がなく、当該装置を低廉なものとしてユーザに提供することができる。
【０１６７】
また、本発明に係る記録再生装置１は、ディスク９０から圧縮データを所定のブロック単位で読み出し、読み出した圧縮データを図１３又は図１５に示す構成のオーディオ処理部１０に入力し、操作部４１から早送り再生を行う旨の操作信号が供給された場合に、早送り再生を行うべく、ＡＴＲＡＣ部４０でクラスタバッファメモリ４から所定のデータ間隔で圧縮データを読み出すので、記録されている圧縮データがブロック単位で管理されており、圧縮データを読み出す際に所定数のブロック単位でしか読み出せない構成のディスク９０であっても、早送り再生を行なうことができる。
【０１６８】
なお、本発明に係る実施の形態では、記録媒体の一例としてディスク９０を用いたが、圧縮データの記録及び再生ができる媒体であれば何でも良く、ディスクに限らず、半導体メモリ等でも良い。
【０１６９】
また、本発明に係る実施の形態では、ディスク９０から読み出すものとして圧縮オーディオデータを用いたが、これに限らず、例えば、圧縮ビデオデータであっても良い。
【図面の簡単な説明】
【０１７０】
【図１】本発明に係る記録再生装置で使用するディスクの説明図である。
【図２】本発明に係る記録再生装置で使用するディスクの第１のエリア構造の説明図である。
【図３】本発明に係る記録再生装置で使用するディスクの第２のエリア構造の説明図である。
【図４】本発明に係る記録再生装置で使用するディスクの第３のエリア構造の説明図である。
【図５】本発明に係る記録再生装置で使用するディスクの管理構造の説明図である。
【図６】本発明に係る記録再生装置で使用するディスクのＵＴＯＣセクタ０の説明図である。
【図７】本発明に係る記録再生装置で使用するディスクのＵＴＯＣセクタ０のリンク形態の説明図である。
【図８】本発明に係る記録再生装置で使用するディスクのＵＴＯＣによる管理例の説明図である。
【図９】本発明に係る記録再生装置で使用するディスクのクラスタ構造例の説明図である。
【図１０】本発明に係る記録再生装置で使用するディスクのデータトラックにおけるＦＡＴファイルシステムの説明図である。
【図１１】本発明に係る記録再生装置の構成を示すブロック図である。
【図１２】本発明に係る記録再生装置に備えられているメディアドライブ部の構成を示すブロック図である。
【図１３】本発明に係る記録再生装置に備えられているオーディオ処理部の第１の構成を示すブロック図である。
【図１４】通常再生から早送り再生に再生動作が切り替わったときの図１３に示すオーディオ処理部の動作を説明するフローチャートである。
【図１５】本発明に係る記録再生装置に備えられているオーディオ処理部の第２の構成を示すブロック図である。
【図１６】通常再生から早送り再生に再生動作が切り替わったときの図１５に示すオーディオ処理部の動作を説明するフローチャートである。
【符号の説明】
【０１７１】
１  記録再生装置、２  メディアドライブ部、３  メモリ転送コントローラ、４  クラスタバッファメモリ、５  補助メモリ、６，８  ＵＳＢインターフェイス、７  ＵＳＢハブ、９  システムコントローラ、１０  オーディオ処理部、４０  ＡＴＲＡＣ部、４１  操作部、４２  転写部
【図１】
2005038532.tif 000003
【図２】
2005038532.tif 000004
【図３】
2005038532.tif 000005
【図４】
2005038532.tif 000006
【図５】
2005038532.tif 000007
【図６】
2005038532.tif 000008
【図７】
2005038532.tif 000009
【図８】
2005038532.tif 000010
【図９】
2005038532.tif 000011
【図１０】
2005038532.tif 000012
【図１１】
2005038532.tif 000013
【図１２】
2005038532.tif 000014
【図１３】
2005038532.tif 000015
【図１４】
2005038532.tif 000016
【図１５】
2005038532.tif 000017
【図１６】
2005038532.tif 000018